(57)【特許請求の範囲】
【請求項１】
３ｃｍ以上１５ｃｍ以下の全長を有するロッドと、前記ロッドの先端側に取り付けられた複数のブレイドと、前記ロッドの中央付近とブレイドが付いていない側の端部との２点で前記ロッドを係止する「く」の字形のアームと、前記アームの前記ロッドの中央付近を係止していない側の端部に取り付けられたジグヘッドとを具備してなり、前記ロッドは前記アームに対する角度が可変となっていることを特徴とするルアー。
【発明の詳細な説明】
【０００１】
【発明の属する技術分野】
本発明は、ルアー（疑似餌）に関し、さらに詳しくは、キャスティング時の飛距離を長くし、しかもヒットさせやすく（食いつかせやすく）するルアーに関する。
【０００２】
【従来の技術】
図１３は、従来のルアーの一例を示す構成図である。
このルアー５００は、例えば１０ｃｍ程度の全長を有し且つ「く」の字形に折れ曲がったアーム５３と、アーム５３の一端側に取り付けられたブレイド２−１，２−２と、アーム５３の他端側に取り付けられたジグヘッド４と、ジグヘッド４の尾部に固設されたフック５と、ジグヘッド４から吹き流されたラバー・スカート６とを具備して構成されている。アーム５３の折り曲げ角度αは、例えば７０°である。
なお、上記ルアー５００の如きタイプのルアーは、一般に、ダブルブレイド型スピナーベイトと呼ばれる。
【０００３】
水中では、ラバー・スカート６がひらひらと揺れ動くと共に、ブレイド２−１，２−２が回転した時にフラッシング（ブレイドが光を反射してピカッと光ること）を生じる。これにより、魚を引きつけることが出来る。
【０００４】
【発明が解決しようとする課題】
上記従来のルアー５００（ダブルブレイド型スピナーベイト）では、キャスト時に飛翔している間、図１４に示すように、アーム５３がキャスト方向にやや傾くため、重心がキャスト方向に片寄る。ところが、このような重心の片寄りがあると、飛行姿勢が不安定となって例えばルアー全体が空中でクルクルと回転して飛距離が短くなったり、方向が曲がったりし、アングラー（釣り人）が狙ったポイントに正確にキャスティングすることが難しくなる問題点がある。また、水中での姿勢によってブレイド２−１，２−２が回転しなくなると、ブレイド２−１，２−２が受ける水の抵抗によりルアー全体がグルグルと引き回されてしまい、魚がヒットし難くなる問題点がある。
そこで、本発明の目的は、正確なキャスティングを可能にすると共に魚を食いつかせやすくするルアーを提供することにある。
【０００５】
【課題を解決するための手段】
本発明にかかるルアーは、３ｃｍ以上１５ｃｍ以下の全長を有するロッドと、前記ロッドの先端側に取り付けられた複数のブレイドと、前記ロッドの中央付近とブレイドが付いていない側の端部との２点で前記ロッドを係止する「く」の字形のアームと、前記アームの前記ロッドの中央付近を係止していない側の端部に取り付けられたジグヘッドとを具備してなり、前記ロッドは前記アームに対する角度が可変となっていることを構成上の特徴とするものである。
上記ルアーでは、ロッドの端部とアームとの係止点が、アームの「く」の字の角部とジグヘッド側の端部との間の区間で移動すると、ロッドとアームのなす角度が変わる。すなわち、係止点を「く」の字の角部に寄せたときに前記角度が最小となってルアーが最も縮んだ状態となり、係止点をジグヘッド側の端部に寄せたときに前記角度が最大となってルアーが最も広がった状態となる。よって、空気中を飛翔している間は、ブレイドが受ける空気によりロッドの先端側が引っ張られて前記角度が最大となって飛行姿勢が安定するので、飛距離を長くすると共に、狙ったポイントに正確にキャスティングできるようになる。
一方、水中でルアーに動きを付けてロッドとアームとがなす角度を変化させることで、魚の視界内でルアーを変形させることが可能となり、魚をヒットさせやすくすることが出来る。
【０００６】
【発明の実施の形態】
以下、図を参照して本発明の実施の形態を説明する。なお、これにより本発明が限定されるものではない。
【０００７】
図１〜図６は、本発明の一実施形態にかかるルアー１００を示す構成図である。図１は、正面図である。図２は、背面図である。図３は、左側面図である。図４は、右側面図である。図５は、平面図である。図６は、底面図である。
このルアー１００は、３ｃｍ以上１５ｃｍ以下の全長を有するロッド１と、ロッド１の先端側に例えば３ｃｍ程度の間隔で取り付けられた金属製のブレイド２−１，２−２と、ロッド１の中央付近とブレイド２−１，２−２が付いていない側の端部との２点でロッド１を係止する「く」の字形のアーム３と、アーム３のロッド１の中央付近を係止していない側の端部に取り付けられたジグヘッド４と、ジグヘッド４の尾部に固設されたフック５と、ジグヘッド４から吹き流されたラバー・スカート６とを具備して構成されている。
なお、ラバー・スカート６に代えて、又はそれに加えて、フック５にワームなどのソフトルアーを取り付けてもよい。
【０００８】
ブレイド２−１，２−２の形状は、例えば、ウィローリーフ形（抵抗の少ない「柳の葉」の形），コロラド形（幅広の「花びら」の形），インディアナ形（細めの「たまご」の形）のいずれかである。また、各ブレイドの大きさは、同じでも、異なってもよい。
アーム３の「く」の字の角部には、ライン（釣り糸）を結び付けるためのアイレットＥが形成されている。
ロッド１の中央付近の係止点でロッド１とアーム３とがなす角度θ１は、例えば４５°である。ただし、ロッド１とアーム３とがなす角度θは、ロッド１の端部１ｅをアーム３の「く」の字の角部とジグヘッド４側の端部との間の区間でスライドさせることで可変となっている。
【０００９】
図７は、ロッド１の端部１ｅをアーム３のジグヘッド４側の端部に寄せた状態を示す正面図である。
ロッド１とアーム３とがなす角度θ２は、例えば７５°である。
【００１０】
次に、ルアー１００を使用したフィッシングの手順について説明する。
（１）アングラーは、釣り竿Ｒに装着されたリールＳに巻き付けられたラインＬの先端をルアー１００のアイレットＥに結ぶ。図８に示すように、ルアー１００を垂らした状態では、ブレイド２−１，２−２の重みでロッド１の端部１ｅがアーム３の「く」の字の角部に寄るため、ロッド１とアーム３とがなす角度が最小（図１，図２のθ１）となる。
（２）アングラーが釣り竿Ｒを振ってキャスティングすると、極く初めはジグヘッド４の頭部を先にして飛ぶが、ラインＬを引っ張って飛ぶため、図９に示すように、途中からはフック５の側が先になって飛ぶ。この状態になると、フック５の側からジグヘッド４の頭部の側への空気流となるため、ブレイド２−１，２−２が受ける空気によりロッド１とアーム３とがなす角度が最大（図７のθ２）となり、ロッド１がキャスト方向に対して少し後方に倒れ込む。これにより、ルアー１００の重心がキャスト方向の反対側に少し移動するため、飛行姿勢が安定して飛びやすくなる。
【００１１】
（３）ルアー１００を水中で略垂直にフォーリング（キャストしたルアーが沈降すること）させると、図１０に示すように、ロッド１が水流に沿って略垂直に立った状態となる。すると、ロッド１の端に近いブレイド２−１に加えて、内側に付いたブレイド２−２も回転する。したがって、強いフラッシングを生じさせることが可能になると共に、フック５に魚（例えばバス）が食いついた時の振動がラインＬを介してアングラーに伝搬しやすくなる。また、魚が隠れていそうなポイント（例えばクイ打ちポイント）を狙ってルアー１００をゆっくり且つ垂直に沈めることも可能となる。
これに対し、図１３の如き従来のダブルブレイド型スピナーベイトでは、アーム５３の折り曲げ角度αが固定されているため、フォーリング角度が小さくなったり、内側のブレイド２−２が回転しなくなって水の抵抗によりルアー全体を引き回してしまう可能性がある。
【００１２】
（４）シェイキング（ルアーを小刻みにしゃくり上げる操作），ストップ＆ゴー（リーリングをしては止めることを繰り返す操作），リフト＆フォール（ルアーを水底から引き上げては落とし込むことを繰り返す操作），トウィッチング（釣り竿を細かく振動させては止めることを繰り返す操作），ジャーキング（軽やかにルアーをスライドさせてはピタッと止めることを繰り返す操作）などのテクニックを駆使すると、図１１に示すように、ロッド１とアーム３とがなす角度が最小となる状態と、図１２に示すように、ロッド１とアーム３とがなす角度が最大となる状態とが、交互に入れ替わるので、ルアー１００が伸縮したかの如き視覚的変化を付けることが可能となり、魚の興味をいっそう強く引くことができるようになる。
【００１３】
【発明の効果】
本発明のルアーによれば、キャスティング時に飛翔している間は、ブレイドが付いているロッドと、ジグヘッドが付いている「く」の字形のアームとがなす角度が最大となって、飛行姿勢が安定するので、飛距離が短くなったり、方向が曲がったりすることがなくなる。また、水中でロッドとアームとがなす角度を変化させることで、従来のスピナーベイトでは実現できない斬新なアクションを付けることが可能となり、魚を食いつかせやすくすることが出来る。
【図面の簡単な説明】
【図１】本発明の一実施形態にかかるルアーの正面図である。
【図２】図１のルアーの背面図である。
【図３】図１のルアーの左側面図である。
【図４】図１のルアーの右側面図である。
【図５】図１のルアーの平面図である。
【図６】図１のルアーの底面図である。
【図７】ロッドの端部をアームのジグヘッド側の端部に寄せた状態を示す正面図である。
【図８】キャスティング前の状態を示す説明図である。
【図９】キャスティングにより図１のルアーが飛翔中の状態を示す説明図である。
【図１０】ルアーがフォーリング中の状態を示す説明図である。
【図１１】水中でロッドとアームとがなす角度が最小となる状態を示す説明図である。
【図１２】水中でロッドとアームとがなす角度が最大となる状態を示す説明図である。
【図１３】従来のルアーの一例を示す構成図である。
【図１４】キャスティングにより図１３のルアーが飛翔中の状態を示す説明図である。
【符号の説明】
１００          ルアー
１              ロッド
２−１，２−２  ブレイド
３              アーム
４              ジグヘッド
５              フック
６              ラバー・スカート
【図１】
0003806866.tif 000002
【図２】
0003806866.tif 000003
【図３】
0003806866.tif 000004
【図４】
0003806866.tif 000005
【図５】
0003806866.tif 000006
【図６】
0003806866.tif 000007
【図７】
0003806866.tif 000008
【図８】
0003806866.tif 000009
【図９】
0003806866.tif 000010
【図１０】
0003806866.tif 000011
【図１１】
0003806866.tif 000012
【図１２】
0003806866.tif 000013
【図１３】
0003806866.tif 000014
【図１４】
0003806866.tif 000015